(57)【要約】  回路モジュールの実装用基板に実装するときの設計の自由度の高い分波器を提供する。  共通端子１５が分波器１０の本体の裏面１０ａの中央に配置されて、送信端子１３および受信端子１４が、本体の裏面１０ａの一辺に平行で共通端子１５を通る仮想線Ｌ上にそれぞれ共通端子１５を挟んで配置されている。したがって、送信端子１３および受信端子１４の方向を揃えて複数の分波器１０を隣接配置するだけで、各分波器１０に設けられた共通端子１５、送信端子１３および受信端子１４が離れて配置されることがないため、従来のように異なる端子配置を有する複数の分波器１０を準備する必要がなく、回路モジュールの実装用基板に実装するときの設計の自由度を高くすることができる。
2012144229.tif 000002
【特許請求の範囲】
【請求項１】
通過帯域が異なる第１のフィルタおよび第２のフィルタを備える分波器において、
上面視が矩形状の本体の裏面に、
前記第１のフィルタおよび前記第２のフィルタそれぞれの、入力側および出力側のいずれか一方に接続される共通端子と、
前記第１のフィルタの前記共通端子と非接続の他方に接続される第１端子と、
前記第２のフィルタの前記共通端子と非接続の他方に接続される第２端子とが設けられており、
前記共通端子が、前記裏面の中央に配置され、
前記第１端子および前記第２端子は、前記本体の裏面の一辺に平行で前記共通端子を通る仮想線上にそれぞれ前記共通端子を挟んで配置されている
ことを特徴とする分波器。
【請求項２】
通過帯域が異なる第１のフィルタおよび第２のフィルタを備える分波器において、
上面視が矩形状の本体の裏面に、
前記第１のフィルタおよび前記第２のフィルタそれぞれの、入力側および出力側のいずれか一方に接続される共通端子と、
前記第１のフィルタの前記共通端子と非接続の他方に接続される第１端子と、
前記第２のフィルタの前記共通端子と非接続の他方に接続される２個の第２端子とが設けられており、
前記共通端子が、前記裏面の中央に配置され、
前記第１端子は、前記本体の裏面の一辺に平行で前記共通端子を通る仮想線上に、前記各第２端子は、前記仮想線に対して線対称に、それぞれ前記共通端子を挟んで配置されている
ことを特徴とする分波器。
【請求項３】
通過帯域が異なる第１のフィルタおよび第２のフィルタを備える分波器において、
上面視が矩形状の本体の裏面に、
前記第１のフィルタおよび前記第２のフィルタそれぞれの、入力側および出力側のいずれか一方に接続される共通端子と、
前記第１のフィルタの前記共通端子と非接続の他方に接続される２個の第１端子と、
前記第２のフィルタの前記共通端子と非接続の他方に接続される２個の第２端子とが設けられており、
前記共通端子が、前記裏面の中央に配置され、
前記各第１端子および前記各第２端子は、前記本体の裏面の一辺に平行で前記共通端子を通る仮想線に対してそれぞれ線対称に、前記共通端子を挟んで配置されている
ことを特徴とする分波器。
【請求項４】
前記裏面に、複数の接地端子が設けられており、
前記各接地端子は、前記共通端子と、前記第１端子および前記第２端子との間に配置されていることを特徴とする請求項１または２に記載の分波器。
【請求項５】
前記裏面に、複数の接地端子が設けられており、
前記各接地端子は、前記仮想線に平行な直線上に配置されていることを特徴とする請求項１に記載の分波器。
【請求項６】
前記各接地電極は、前記仮想線の両側に位置する前記直線上に配置されていることを特徴とする請求項５に記載の分波器。
【請求項７】
前記接地端子の面積が、前記共通端子、前記第１端子および前記第２端子の面積よりも大きく形成されていることを特徴とする請求項４ないし６のいずれかに記載の分波器。
【請求項８】
前記第１のフィルタを形成する第１フィルタ素子および前記第２のフィルタを形成する第２フィルタ素子は、それぞれ長方形状に形成されて、長手方向の一端側に前記共通端子と接続される一方の端子が設けられ、他端側に他方の端子が設けられており、
前記第１フィルタ素子および前記第２フィルタ素子は、前記一方の端子をともに前記共通端子側に、前記他方の端子をそれぞれ前記第１端子および前記第２端子側に配置して前記本体に設けられていることを特徴とする請求項１ないし７のいずれかに記載の分波器。
【請求項９】
前記第１のフィルタおよび前記第２のフィルタは、
長方形状の基板の長手方向に第１フィルタ素子および第２フィルタ素子が並設され、前記基板の長手方向の中央に前記共通端子と接続される第１フィルタ素子および第２フィルタ素子に共通の一方の端子が設けられ、両端側に第１フィルタ素子および第２フィルタ素子それぞれの他方の端子が設けられて形成されており、
前記基板は、前記一方の端子を前記共通端子側に、前記他方の端子をそれぞれ前記第１端子および前記第２端子側に配置して前記本体に設けられていることを特徴とする請求項１ないし７のいずれかに記載の分波器。
【請求項１０】
請求項１ないし９のいずれかに記載の分波器と、
前記分波器が実装される実装用基板とを備え、
前記実装用基板には、前記共通端子と接続される共通電極と、前記第１端子と接続される第１電極と、前記第２端子と接続される第２電極と、接地電極とが設けられている
ことを特徴とする回路モジュール。
【請求項１１】
前記接地電極は、
上面視において、前記共通電極が設けられた位置を除く全面に渡って平面状に形成されている
ことを特徴とする請求項１０に記載の回路モジュール。
【発明の詳細な説明】
【技術分野】
【０００１】
本発明は、通過帯域が異なる第１のフィルタおよび第２のフィルタを備える分波器およびこれを備える回路モジュールに関する。
【背景技術】
【０００２】
従来、分波器は、例えば、上面視が矩形状のセラミックパッケージに設けられたキャビティに、送信フィルタを形成する送信フィルタ素子および受信フィルタを形成する受信フィルタ素子が実装され、送信フィルタ素子および受信フィルタ素子が配置されたキャビティがキャップにより気密封止されて形成される。また、図１２に示すように、分波器５００の裏面５０１には、分波器５００が実装される回路モジュールの実装用基板側から送信信号を送信フィルタに入力するための送信端子５０２と、受信フィルタから実装用基板側に受信信号を出力するための受信端子５０３と、送信フィルタの出力側および受信フィルタの入力側に接続される共通端子５０４（アンテナ端子）と、接地端子５０５とが設けられている。【０００３】
図１２に示す例では、共通端子５０４は、分波器５００の裏面５０１の対向する２本の長辺のうち、一方の長辺のほぼ中央位置に隣接して配置され、送信端子５０２および受信端子５０３は、他方の長辺の両端の各隅部にそれぞれ配置されて、略Ｖ字状に配置されている。また、接地端子５０５は、分波器５００の裏面５０１の各辺に沿って設けられている。【０００４】
なお、図１２は従来の分波器５００の端子配列を示す図である。また、図１２に示す例では、非平衡−平衡型の受信フィルタ素子により受信フィルタが形成されているため、分波器５０１の裏面５０１には、受信フィルタ用の２個の受信端子５０３が設けられている。
【先行技術文献】
【特許文献】
【０００５】
【特許文献１】特開２０１０−４１０９７号公報（段落００４８〜００５２、図１０Ｅなど）
【発明の概要】
【発明が解決しようとする課題】
【０００６】
近年、ＧＳＭ（Global System for Mobile Communications）規格やＣＤＭＡ（Code Division Multiple Access）規格など、複数の通信規格による通信をサポートする携帯電話や携帯情報端末などの通信携帯端末が急速に普及している。これらの通信携帯端末では、共通のアンテナを用いて異なる周波数帯域の信号の送受信が行われるが、複数の通信規格による通信をサポートする場合、周波数の異なる送信信号および受信信号を分波する分波器（デュプレクサ）を、サポートする通信規格ごとに備える必要がある。したがって、実装用基板にスイッチＩＣおよび複数の分波器が実装されたアンテナスイッチモジュールなど、複数の通信規格による通信をサポートする種々のフロントエンドモジュール（回路モジュール）が提供されている。【０００７】
ところで、複数の通信規格による通信をサポートする回路モジュールは、通信携帯端末が備えるマザー基板に実装されて使用されるが、マザー基板に設けられる回路モジュールを実装するための電極パターンは、一般的に、そのパターン形状が通信携帯端末ごとに異なるものであり、回路モジュールに設けられるマザー基板への実装用電極の配置も、顧客の要望に応じて通信携帯端末ごとに設計されることが多い。したがって、回路モジュールの実装用基板への複数の分波器５００の配置も、通信携帯端末ごとに設計される回路モジュールのマザー基板への実装用電極の配置に応じて設計される。【０００８】
例えば、回路モジュールに設けられて、分波器５００の共通端子５０４と接続される実装用電極の配置に応じて、２個の分波器５００が、回路モジュールの実装用基板に共通端子５０４が隣接するように実装されることがある。この場合、各分波器５００は、各々の共通端子５０４間の中間点を回転中心として点対称に配置されるため、各分波器５００の送信端子５０２および受信端子５０３は、それぞれ互いに前記中間点を回転中心として点対称に、すなわち、前記中間点を挟んで反対側に離れて配置されるため、回路モジュールの実装用基板に設けられる各分波器５００を電気的に接続するための配線パターンが複雑になるという問題があった。【０００９】
したがって、上記した例において、分波器５００が実装される回路モジュールの実装用基板に設けられる配線パターンを簡略化するためには、２個の分波器５００が、回路モジュールの実装用基板に各共通端子５０４が隣接するように実装されたときに、各分波器５００の送信端子５０２および受信端子５０３が、各分波器５００の裏面５０１の長辺に平行で前記中間点を通る直線に対して互いに線対称に、すなわち、各分波器５００の送信端子５０２および受信端子５０３がそれぞれ同側に配置される必要がある。【００１０】
このためには、裏面５０１に設けられた送信端子５０２および受信端子５０３の配置が入れ換えられた分波器５００を用意し、送信端子５０２および受信端子５０３の配置が互いに異なる分波器５００どうしを、共通端子５０４が隣接するように回路モジュールの実装用基板に実装する必要があり、端子配置の異なる分波器５００を準備することにより、回路モジュールの製造コストの増大を招いていた。【００１１】
この発明は、上記した課題に鑑みてなされたものであり、回路モジュールの実装用基板に実装するときの設計の自由度の高い分波器およびこの分波器を備える回路モジュールを提供することを目的とする。
【課題を解決するための手段】
【００１２】
上記した目的を達成するために、本発明の分波器は、通過帯域が異なる第１のフィルタおよび第２のフィルタを備える分波器において、上面視が矩形状の本体の裏面に、前記第１のフィルタおよび前記第２のフィルタそれぞれの、入力側および出力側のいずれか一方に接続される共通端子と、前記第１のフィルタの前記共通端子と非接続の他方に接続される第１端子と、前記第２のフィルタの前記共通端子と非接続の他方に接続される第２端子とが設けられており、前記共通端子が、前記裏面の中央に配置され、前記第１端子および前記第２端子は、前記本体の裏面の一辺に平行で前記共通端子を通る仮想線上にそれぞれ前記共通端子を挟んで配置されていることを特徴としている（請求項１）。【００１３】
また、通過帯域が異なる第１のフィルタおよび第２のフィルタを備える分波器において、  上面視が矩形状の本体の裏面に、前記第１のフィルタおよび前記第２のフィルタそれぞれの、入力側および出力側のいずれか一方に接続される共通端子と、前記第１のフィルタの前記共通端子と非接続の他方に接続される第１端子と、前記第２のフィルタの前記共通端子と非接続の他方に接続される２個の第２端子とが設けられており、前記共通端子が、前記裏面の中央に配置され、前記第１端子は、前記本体の裏面の一辺に平行で前記共通端子を通る仮想線上に、前記各第２端子は、前記仮想線に対して線対称に、それぞれ前記共通端子を挟んで配置されていることを特徴としている（請求項２）。【００１４】
また、通過帯域が異なる第１のフィルタおよび第２のフィルタを備える分波器において、上面視が矩形状の本体の裏面に、前記第１のフィルタおよび前記第２のフィルタそれぞれの、入力側および出力側のいずれか一方に接続される共通端子と、前記第１のフィルタの前記共通端子と非接続の他方に接続される２個の第１端子と、前記第２のフィルタの前記共通端子と非接続の他方に接続される２個の第２端子とが設けられており、前記共通端子が、前記裏面の中央に配置され、前記各第１端子および前記各第２端子は、前記本体の裏面の一辺に平行で前記共通端子を通る仮想線に対してそれぞれ線対称に、前記共通端子を挟んで配置されていることを特徴としている（請求項３）。【００１５】
また、前記裏面に、複数の接地端子が設けられており、前記各接地端子は、前記共通端子と、前記第１端子および前記第２端子との間に配置されていてもよい（請求項４）。このような構造にすることにより、共通端子を介して入出力する信号と、第１端子および第２端子を介してそれぞれ入出力する信号とが互いに干渉するのを防止することができ、各端子間のアイソレーション特性の向上を図ることができる。【００１６】
また、前記裏面に、複数の接地端子が設けられており、前記各接地端子は、前記仮想線に平行な直線上に配置されていてもよい（請求項５）。このような構造にすることにより、分波器の接地端子が配置された側に隣接して配置される各種部品と分波器との電磁界結合を防止することができ、分波器と各種部品との間のアイソレーション特性を向上することができる。【００１７】
また、前記各接地電極は、前記仮想線の両側に位置する前記直線上に配置されているとよい（請求項６）。このような構造にすることにより、分波器の両側に隣接して配置される各種部品と分波器との電磁界結合を防止することができ、分波器と各種部品との間のアイソレーション特性をさらに向上することができる。【００１８】
また、前記接地端子の面積が、前記共通端子、前記第１端子および前記第２端子の面積よりも大きく形成されていてもよい（請求項７）。このような構造にすることにより、共通端子、第１端子および第２端子間のアイソレーション特性をさらに向上することができる。【００１９】
また、前記第１のフィルタを形成する第１フィルタ素子および前記第２のフィルタを形成する第２フィルタ素子は、それぞれ長方形状に形成されて、長手方向の一端側に前記共通端子と接続される一方の端子が設けられ、他端側に他方の端子が設けられており、前記第１フィルタ素子および前記第２フィルタ素子は、前記一方の端子をともに前記共通端子側に、前記他方の端子をそれぞれ前記第１端子および前記第２端子側に配置して前記本体に設けられているとよい（請求項８）。このような構造にすることにより、共通端子、第１端子および第２端子をそれぞれ互いに離間して配置することができ、第１端子および第２端子間のアイソレーション特性を向上することができる。【００２０】
また、前記第１のフィルタおよび前記第２のフィルタは、長方形状の基板の長手方向に第１フィルタ素子および第２フィルタ素子が並設され、前記基板の長手方向の中央に前記共通端子と接続される第１フィルタ素子および第２フィルタ素子に共通の一方の端子が設けられ、両端側に第１フィルタ素子および第２フィルタ素子それぞれの他方の端子が設けられて形成されており、前記基板は、前記一方の端子を前記共通端子側に、前記他方の端子をそれぞれ前記第１端子および前記第２端子側に配置して前記本体に設けられているとよい（請求項９）。このような構造にすることにより、共通端子、第１端子および第２端子をそれぞれ互いに離間して配置することができ、第１端子および第２端子間のアイソレーション特性をさらに向上することができる。【００２１】
また、本発明の回路モジュールは、請求項１ないし９のいずれかに記載の分波器と、前記分波器が実装される実装用基板とを備え、前記実装用基板には、前記共通端子と接続される共通電極と、前記第１端子と接続される第１電極と、前記第２端子と接続される第２電極と、接地電極とが設けられて前記接地電極は、上面視において、前記共通電極が設けられた位置を除く全面に渡って平面状に形成されていても構わない（請求項１０〜１１）。このような構造にすることにより、各端子間のアイソレーション特性の向上を図ることができる。
【発明の効果】
【００２２】
本発明によれば、第１端子および第２端子の方向を揃えて複数の分波器を隣接配置するだけで、各分波器に設けられた共通端子、第１端子および第２端子が離れて配置されることがないため、従来のように異なる端子配置を有する複数の分波器を準備する必要がなく、回路モジュールの実装用基板に実装するときの設計の自由度の高い分波器を提供することができる。
【図面の簡単な説明】
【００２３】
【図１】本発明の回路モジュールの一実施形態を示す図である。
【図２】図１の回路モジュールの内部構成を示すブロック図である。
【図３】分波器の端子配列の一例を示す底面図である。
【図４】実装用基板の接地電極の電極形状の一例を示す底面図である。
【図５】分波器の端子配列の他の例を示す図である。
【図６】分波器の端子配列の他の例を示す図である。
【図７】分波器の端子配列の他の例を示す図である。
【図８】分波器の端子配列の他の例を示す図である。
【図９】分波器の端子配列の他の例を示す図である。
【図１０】分波器の端子配列の他の例を示す図である。
【図１１】分波器の他の例を示す図である。
【図１２】従来の分波器の端子配列を示す図である。
【発明を実施するための形態】
【００２４】
本発明の分波器（デュプレクサ）を備える回路モジュールの一実施形態について、図１〜図４を参照して説明する。図１は本発明の回路モジュールの一実施形態を示す図である。図２は図１の回路モジュールの内部構成を示すブロック図である。図３は分波器の端子配列の一例を示す底面図である。図４は実装用基板の接地電極の電極形状の一例を示す底面図である。
【００２５】
（回路モジュール）
図１に示す回路モジュール１は、携帯電話や携帯情報端末などの通信携帯端末が備えるマザー基板ＭＢに搭載されるものであり、この実施形態では、実装用基板２と、ＧＳＭ規格やＣＤＭＡ規格などの異なる通信規格による通信用に個別に設けられた複数の分波器１０と、スイッチＩＣやフィルタ、抵抗、コンデンサ、コイルなどの各種の部品３とを備え、高周波アンテナスイッチモジュールとして形成されている。また、分波器１０および部品３は、実装用基板２の実装面２ａに設けられた電極に実装されて、実装用基板２に設けられた内部配線パターン５を介して実装用基板２の裏面に形成された複数の実装用電極６に電気的に接続される。そして、回路モジュール１がマザー基板ＭＢに実装されることにより、マザー基板ＭＢが備えるアンテナラインＡＮＴやグランドラインＧＮＤ、送信信号ラインＴｘ、受信信号ラインＲｘなどの各種信号ラインおよび電源ラインと回路モジュール１とが接続されて、マザー基板ＭＢと回路モジュール１との間で送受信信号の入出力が行われる。
【００２６】
なお、回路モジュール１は、複数の通信規格による通信に対応しており、通信携帯端末が備えるマザー基板ＭＢからの切換信号に基づいてスイッチＩＣが切換えられて、アンテナラインＡＮＴと、複数の分波器１０のうち、通信携帯端末において選択されている通信規格に対応する分波器１０とが選択的に接続される。
【００２７】
実装用基板２は、この実施形態では、セラミックグリーンシートにより形成された複数の誘電体層が積層されて焼成されることで一体的にセラミック積層体として形成されており、各誘電体層に、ビア導体および電極パターンが適宜形成されることで内部配線パターン５が形成されている。
【００２８】
すなわち、各誘電体層を形成するセラミックグリーンシートは、アルミナおよびガラスなどの混合粉末が有機バインダおよび溶剤などと一緒に混合されたスラリーが成膜装置によりシート化されたものであり、約１０００℃よりも低い温度で、所謂、低温焼成できるように形成されている。そして、所定形状に切り取られたセラミックグリーンシートに、レーザー加工などによりビアホールが形成され、形成されたビアホールにＡｇやＣｕなどを含む導体ペーストが充填されたり、ビアフィルめっきが施されることにより層間接続用のビア導体が形成され、導体ペーストによる印刷により種々の電極パターンが形成されて、各誘電体層が形成される。
【００２９】
なお、内部配線パターン５は、回路モジュール１に実装される複数の分波器１０および各種部品３と、実装用電極６とを相互に電気的に接続するための電極パターンおよびビア導体が、各誘電体層に設けられることで形成される。このとき、内部配線パターン５を形成する電極パターンおよびビア導体によりコンデンサやコイルなどの回路素子を形成したり、電極パターンおよびビア導体によるコンデンサやコイルなどの回路素子によりフィルタ回路や整合回路などを形成してもよい。
【００３０】
（分波器）
分波器１０は、周波数の異なる送信信号と受信信号とを分離するために用いられるものであり、図２および図３に示すように、分波器１０は、高周波信号の通過帯域が異なる送信フィルタ１１（本発明の「第１のフィルタ」に相当）および受信フィルタ１２（本発明の「第２のフィルタ」に相当）を備えている。送信フィルタ１１および受信フィルタ１２は、それぞれＳＡＷ（表面弾性波）フィルタ素子により形成された送信フィルタ素子１１ａ（第１フィルタ素子）および受信フィルタ素子１２ａ（第２フィルタ素子）により形成されている。
【００３１】
なお、各フィルタ素子は、水晶基板やＬｉＴａＯ３基板などの圧電基板を用いて形成され、圧電基板に設けられた端子電極が、アルミナ基板などのパッケージ基板の主面上の実装電極にバンプなどにより接続される。
【００３２】
また、分波器１０は、送信フィルタ１１の出力側および受信フィルタ１２の入力側に接続される共通端子１５（アンテナ端子）と、送信フィルタ１１への入力用に共通端子１５と非接続の他方に接続される送信端子１３（本発明の「第１端子」に相当）と、受信フィルタ１２からの出力用に共通端子１５と非接続の他方に接続される受信端子１４（本発明の「第２端子」に相当）と、複数の接地端子１６とを有し、実装用基板２に各分波器１０ごとに設けられた共通電極２３、送信電極２１（本発明の「第１電極」に相当）、受信電極２２（本発明の「第２電極」に相当）および接地電極２４とそれぞれ接続される。
【００３３】
具体的には、この実施形態では、分波器１０の、上面視が矩形状の本体の裏面１０ａに、送信端子１３と、受信端子１４と、共通端子１５と、接地端子１６とが、矩形のランド状に設けられている。そして、共通端子１５は、裏面１０ａの中央に配置され、送信端子１３および共通端子１４は、分波器１０の本体の裏面１０ａの一辺に平行で共通端子１５を通る仮想線Ｌ上に、それぞれ共通端子１５を挟んで配置されている。
【００３４】
また、分波器１０の裏面１０ａには、複数の接地端子１６が設けられており、接地端子１６は、共通端子１５と、送信端子１３および受信端子１４との間にそれぞれ配置されていると共に、仮想線Ｌの両側に位置する、仮想線Ｌに平行な直線上に並べて配置されている。
【００３５】
また、送信フィルタ素子１１ａおよび受信フィルタ素子１２ａは、それぞれ長方形状に形成されて、長手方向の一端１１ｂ，１２ｂ側に共通端子１５と接続される一方の端子（図示省略）が設けられ、他端１１ｃ，１２ｃ側に他方の端子（図示省略）が設けられている。そして、送信フィルタ素子１１ａおよび受信フィルタ素子１２ａは、共通端子１５と接続される一方の端子をともに共通端子１５側に、他方の端子をそれぞれ送信端子１３および受信端子１４側に配置して分波器１０の本体に設けられている。
【００３６】
なお、この実施形態では、分波器１０が備える送信フィルタ１１および受信フィルタ１２は、ＳＡＷフィルタ素子による送信フィルタ素子１１ａおよび受信フィルタ素子１２ａにより形成されているが、ＳＡＷフィルタ素子の他に、複数の共振器およびコイルなどが接続されて送信フィルタ素子１１ａおよび受信フィルタ素子１２ａが形成されていてもよく、周波数の異なる送信信号と受信信号とを確実に分波することができれば、送信フィルタ１１および受信フィルタ１２をどのように形成してもよい。すなわち、送信フィルタ１１および受信フィルタ１２は、一般的に使用される送信フィルタ素子１１ａおよび受信フィルタ素子１２ａにより形成すればよく、その構成および動作は周知のものであるため、送信フィルタ素子１１ａおよび受信フィルタ素子１２ａの構成および動作の詳細な説明は省略する。
【００３７】
（実装用基板の電極形状）
この実施形態では、実装用基板２を形成する複数の誘電体層の最上層の実装面２ａに、送信電極２１と、受信電極２２と、共通電極２３とが、矩形のランド状に設けられている。また、接地電極２４は、実装面２ａが設けられた誘電体層の１つ下層の誘電体層の表面に設けられており、接地電極２４は、上面視において送信電極２１および受信電極２２の間に配置されている。
【００３８】
また、この実施形態では、送信電極２１および受信電極２２は、実装用基板２の実装面２ａの端縁近傍に設けられており、接地電極２４は、端縁側の端部が該端縁に沿って両側に延出されて上面視において略Ｔ字状に形成されることにより、端縁と、送信電極２１および受信電極２２との間にも配置されている。また、接地電極２４は、上面視において送信電極２１、受信電極２２および共通電極２３それぞれの３辺を囲んで設けられている。すなわち、この実施形態では、接地電極２４は、矩形の３辺にそれぞれ矩形状の切欠きが設けられた形状を成し、送信電極２１、受信電極２２および共通電極２３は、上面視において、接地電極２４に設けられた３つの矩形状の切欠きにそれぞれ配置されている。
【００３９】
また、接地電極２４は、内部配線パターン５の複数のビア導体が接続されることにより、マザー基板ＭＢのグランドラインＧＮＤと接続される実装用電極６と接続される。この実施形態では、特に、上面視において、接地電極２４の送信電極２１に近接する縁部に沿って複数のビア導体が接続されている。また、この実施形態では、上面視において、接地電極２４の送信電極２１に近接する縁部から受信電極２２に近接する縁部まで、接地電極２４の縁部に沿って複数のビア導体が接続されている。なお、分波器１０の接地端子１６は、実装面２ａに設けられた実装用の電極と、この電極に接続されるビア導体とを介して接地電極２４と接続される。
【００４０】
また、この実施形態では、接地電極２４は、実装用基板２を構成する複数の誘電体層に渡って設けられており、各接地電極２４は、複数のビア導体で接続されている。また、この実施形態では、複数の誘電体層に設けられる接地電極２４のいずれか一つは、図４に示すように、上面視において、共通電極２３（共通端子１５）が設けられた位置を除く当該誘電体層の全面に渡って平面状に形成されている。
【００４１】
また、この実施形態では、図４に示すように、内部配線パターン５のうち、分波器１０の共通端子１５に接続されて部品３（スイッチＩＣ）を介してアンテナラインＡＮＴに接続される信号ライン５ａが設けられた配線層（誘電体層）と、送信端子１３および受信端子１４に接続されて送信信号ラインＴｘおよび受信信号ラインＲｘに接続される信号ラインが設けられた配線層とが、接地電極２４により遮断されている。
【００４２】
なお、図４では、説明が容易となるように、分波器１０および部品３（スイッチＩＣ）の実装用基板２への実装位置が実線で示されており、分波器１０の共通端子１５と部品３とを接続する信号ライン５ａは、模式的に太実線で示されている。
【００４３】
（製造方法）
次に、図１の回路モジュール１の製造方法の一例についてその概略を説明する。
【００４４】
まず、所定形状に形成されたセラミックグリーンシートに、レーザーなどでビアホールを形成し、内部に導体ペーストを充填したり、ビアフィルめっきを施すことにより層間接続用のビア導体が形成され、送信電極２１、受信電極２２、共通電極２３および接地電極２４などの電極パターンが導体ペーストにより印刷されて、実装用基板２を構成する各誘電体層を形成するためのセラミックグリーンシートが準備される。なお、それぞれのセラミックグリーンシートには、一度に大量の実装用基板２を形成できるように、ビア導体や、送信電極２１、受信電極２２、共通電極２３および接地電極２４などの電極パターンが複数設けられている。
【００４５】
次に、各誘電体層が積層されて積層体が形成される。そして、焼成後に個々の実装用基板２に分割するための溝が、各実装用基板２の領域を囲むように形成される。続いて、積層体が加圧されながら低温焼成されることにより実装用基板２の集合体が形成される。
【００４６】
次に、個々の実装用基板２に分割される前に、実装用基板２の集合体の実装面２ａに分波器１０および部品３が実装され、分波器１０および部品３が実装された実装用基板２の集合体の実装面２ａにモールド樹脂が充填されて、これが加熱硬化されることによりモールド層（図示省略）が各実装用基板２に設けられて回路モジュール１の集合体が形成される。そして、回路モジュール１の集合体は個々に分割されて、回路モジュール１が完成する。
【００４７】
このように形成された回路モジュール１では、マザー基板ＭＢの送信信号ラインＴｘから、実装用電極６および内部配線パターン５を介して分波器１０の送信端子１３に出力された送信信号は、送信フィルタ１１に入力されて所定のフィルタ処理が施されて、共通端子１５から実装用基板２側に出力され、スイッチＩＣ（部品３）、内部配線パターン５（整合回路）および実装用電極６を介してマザー基板ＭＢのアンテナラインＡＮＴに出力される。また、マザー基板ＭＢのアンテナラインＡＮＴから、実装用電極６、内部配線パターン５（整合回路）およびスイッチＩＣを介して分波器１０の共通端子１５に入力された受信信号は、受信フィルタ１２に入力されて所定のフィルタ処理が施されて、受信端子１４から実装用基板２側に出力され、内部配線パターン５および実装用電極６を介してマザー基板ＭＢの受信信号ラインＲｘに出力される。
【００４８】
なお、内部配線パターン５が設けられた実装用基板２、分波器１０、部品３およびモールド層を備える回路モジュール１は、上記した製造方法に限らず、周知の一般的な製造方法により形成すればよく、実装用基板２は、樹脂やセラミック、ポリマー材料などを用いた、プリント基板、ＬＴＣＣ、アルミナ系基板、ガラス基板、複合材料基板、単層基板、多層基板などで形成することができ、回路モジュール１の使用目的に応じて、適宜最適な材質を選択して実装用基板２を形成すればよい。また、実装用基板２にキャビティを設け、キャビティに分波器１０および部品３を実装した後に、キャビティをキャップにより封止することで回路モジュール１を形成してもよい。
【００４９】
また、この実施形態では、内部配線パターン５により整合回路を形成したが、実装用基板２の実装面２ａに実装されるチップコイルなどの部品３により整合回路を形成してもよい。
【００５０】
以上のように、この実施形態では、上面視が矩形状の本体の裏面１０ａに、通過帯域が異なる送信フィルタ１１および受信フィルタ１２それぞれの、出力側および入力側に接続される共通端子１５と、送信フィルタ１１の共通端子１５と非接続の他方に接続される送信端子１３と、受信フィルタ１２の共通端子１５と非接続の他方に接続される受信端子１４とが設けられており、共通端子１５が分波器１０の本体の裏面１０ａの中央に配置されて、送信端子１３および受信端子１４が、本体の裏面１０ａの一辺に平行で共通端子１５を通る仮想線Ｌ上にそれぞれ共通端子１５を挟んで配置されている。
【００５１】
したがって、送信端子１３および受信端子１４の方向を揃えて複数の分波器１０を隣接配置するだけで、各分波器１０に設けられた共通端子１５、送信端子１３および受信端子１４が離れて配置されることがないため、従来のように異なる端子配置を有する複数の分波器１０を準備する必要がなく、回路モジュール１の実装用基板２に実装するときの設計の自由度を高くすることができる。
【００５２】
また、分波器１０の裏面１０ａに複数の接地端子１６が設けられており、接地端子１６は、共通端子１５と、送信端子１３および受信端子１４との間にそれぞれ配置されているため、共通端子１５を介して入出力する信号と、送信端子１３および受信端子１５を介してそれぞれ入出力する信号とが互いに干渉するのを防止することができ、各端子１３〜１５間のアイソレーション特性の向上を図ることができる。
【００５３】
また、接地電極１６は、仮想線Ｌの両側に位置し、仮想線Ｌに平行な直線上に並べて配置されているため、分波器１０の両側に隣接して配置される各種部品３と分波器１０とが電磁結合するのを防止することができ、分波器１０と各種部品３との間のアイソレーション特性を向上することができる。
【００５４】
また、分波器１０を実装用基板２に実装するときに、はんだなどにより実装用基板２上の各電極２１〜２３に接合される分波器１０の裏面１０ａの端子数が増大するため、分波器１０を実装用基板２に実装するときの実装強度を向上することができる。
【００５５】
なお、接地端子１６を、仮想線Ｌの片側にのみ、仮想線Ｌに平行な直線上に並べて配置してもよく、この場合、分波器１０の接地端子１６が直線状に並べて配置された側に隣接して配置される各種部品３と分波器１０とが、電磁結合するのを防止することができる。
【００５６】
また、送信フィルタ１１を形成する送信フィルタ素子１１ａおよび受信フィルタ１２を形成する受信フィルタ素子１２ａは、それぞれ長方形状に形成されて、長手方向の一端１１ｂ，１２ｂ側に共通端子１５と接続される一方の端子が設けられ、他端１１ｃ，１２ｃ側に他方の端子が設けられており、送信フィルタ素子１１ａおよび受信フィルタ素子１２ａは、共通端子１５と接続される一方の端子をともに共通端子１５側に、他方の端子をそれぞれ送信端子１３および受信端子１４側に配置して分波器１０の本体に設けられているため、共通端子１５、送信端子１３および受信端子１４をそれぞれ互いに離間して配置することができ、送信端子１３および受信端子１４間のアイソレーション特性を向上することができる。
【００５７】
また、回路モジュール１の実装用基板２を形成する複数の誘電体層に渡って接地電極２４が設けられており、複数の誘電体層に設けられた接地電極２４のうちの一つは、上面視において、共通電極２３（共通端子１５）が設けられた位置を除いて当該誘電体層の全面に渡って平面状に形成されており、共通端子１５に接続される信号ライン５ａが設けられた誘電体層（配線層）と、送信端子１３および受信端子１４に接続される信号ラインが設けられた誘電体層とを接地電極２４により遮断することで、共通端子１５と、送信端子１３および受信端子１４との間のアイソレーション特性の向上を図ることができる。
【００５８】
なお、接地電極２４は、共通端子１５に加えて、送信端子１３および受信端子１４が設けられた位置を除いて平面状に形成されてもよい。
【００５９】
また、実装用基板２の接地電極２４には、上面視において当該接地電極２４の送信電極２１に近接する縁部に沿って複数のビア導体が接続されているため、実装用基板２の送信電極２１から分波器１０の送信端子１３に出力された送信信号が接地電極２４に漏洩しても、接地電極２４に漏洩した送信信号は、当該接地電極２４の送信電極２１に近接する縁部に沿って接続されてマザー基板ＭＢのグランドラインＧＮＤと接続されるビア導体に流れ込むため、送信電極２１から出力されて接地電極２４に漏洩した送信信号が、当該接地電極２４の縁部を伝って受信電極２２側へ回り込むことを防止でき、送信電極２１および受信電極２２が、接地電極２４を介して漏洩した送信信号により電気的に結合することを防止できるので、分波器１０が搭載される実装用基板２に設けられた送信電極２１および受信電極２２間のアイソレーション特性の向上を図ることができる。
【００６０】
また、接地電極２４には、上面視において当該接地電極２４の送信電極２１に近接する縁部から受信電極２２に近接する縁部まで、当該接地電極の縁部に沿って複数のビア導体が接続されているため、送信電極２１から出力されて接地電極２４に漏洩した送信信号が、当該接地電極２４の縁部に沿って接続された複数のビア導体により効率よく流れ込むことにより、接地電極２４に漏洩した送信信号が、当該接地電極２４の縁部を伝って受信電極２２側への回り込むことをより効率よく防止できるので、分波器１０が搭載される実装用基板２に設けられた送信電極２１および受信電極２２間のアイソレーション特性をさらに向上することができる。
【００６１】
また、送信電極２１、受信電極２２および共通電極２３が、実装用基板２の実装面２ａに矩形のランド状に設けられており、接地電極２４は、上面視において送信電極２１、受信電極２２および共通電極２３それぞれの少なくとも３辺を囲んで設けられているため、送信電極２１から出力されて接地電極２４に漏洩した送信信号は、送信電極２１の少なくとも３辺を囲む当該接地電極２４の縁部に沿って接続されたビア導体に効率よく流れ込むと共に、上面視において当該接地電極２４の送信電極２１に近接する縁部から受信電極２２に近接する縁部までの、当該接地電極２４の縁部に沿った距離が長くなるので、接地電極２４に漏洩した送信信号が、当該接地電極２４の縁部を伝って受信電極２４側へ回り込むのを確実に防止することができる。
【００６２】
（分波器の端子配列の他の例（１））
次に、図５を参照して分波器の端子配列の他の例（１）について説明する。図５は分波器の端子配列の他の例を示す図である。この端子配列の他の例（１）が上記した実施形態と異なる点は、図５に示すように、共通端子１５と、送信端子１３および受信端子１４との間に接地端子１６が配置されていない点である。その他の構成は上記した実施形態と同様の構成であるため、同一符号を付すことによりその構成の説明は省略する。
【００６３】
（分波器の端子配列の他の例（２））
次に、図６を参照して分波器の端子配列の他の例（２）について説明する。図６は分波器の端子配列の他の例を示す図である。この端子配列の他の例（２）が上記した実施形態と異なる点は、図６に示すように、分波器１０の本体の裏面１０ａの短辺に沿って、送信端子１３および受信端子１４の外側にさら接地端子１６が配置されている点である。その他の構成は上記した実施形態と同様の構成であるため、同一符号を付すことによりその構成の説明は省略する。
【００６４】
このように構成すると、分波器１０の周囲に配置された各種部品３と、分波器１０とのアイソレーション特性をさらに向上することができる。
【００６５】
（分波器の端子配列の他の例（３））
次に、図７を参照して分波器の端子配列の他の例（３）について説明する。図７は分波器の端子配列の他の例を示す図である。この端子配列の他の例（３）が上記した実施形態と異なる点は、非平衡−平衡型の受信フィルタ素子１２ａにより受信フィルタ１２が形成されており、図７に示すように、分波器１０の本体の裏面１０ａに、受信フィルタ１２の共通端子１５との非接続の他方に接続される平衡側の２個の受信端子１４が設けられている点である。その他の構成は上記した実施形態と同様の構成であるため、同一符号を付すことによりその構成の説明は省略する。
【００６６】
図７に示すように、分波器１０の、上面視が矩形状の本体の裏面１０ａに、送信端子１３と、２個の受信端子１４と、共通端子１５と、接地端子１６とが、矩形のランド状に設けられている。そして、共通端子１５は、裏面１０ａの中央に配置され、送信端子１３は、分波器１０の本体の裏面１０ａの一辺に平行で共通端子１５を通る仮想線Ｌ上に、各受信端子１４は、仮想線Ｌに対して線対称に、それぞれ共通端子１５を挟んで配置されている。
【００６７】
また、分波器１０の裏面１０ａには、複数の接地端子１６が設けられており、接地端子１６は、各受信端子１４の間と、送信端子１３および共通端子１５の両側に隣接して配置されている。
【００６８】
このように構成すると、上記した実施形態と同様の効果を奏することができる。
【００６９】
また、共通端子１５から入力されて平衡端子（受信端子１４）から出力される受信信号の位相や振幅のバランスを保つために、共通端子１５から各受信端子１４までの線路長を等しくする必要があるが、上記したように共通端子１５および受信端子１４を配置することで、非平衡−平衡型の受信フィルタ１２の入出力間の線路長を等しくすることができ、受信フィルタ１２のバランス特性の向上を図ることができる。
【００７０】
（分波器の端子配列の他の例（４））
次に、図８を参照して分波器の端子配列の他の例（４）について説明する。図８は分波器の端子配列の他の例を示す図である。この端子配列の他の例（４）が上記した実施形態と異なる点は、接地端子１６の面積が、共通端子１５、送信端子１３および受信端子１４の面積よりも大きく形成されている点である。その他の構成は上記した実施形態と同様の構成であるため、同一符号を付すことによりその構成の説明は省略する。
【００７１】
このように構成すると、接地端子１６の面積が、共通端子１５、送信端子１３および受信端子１４の面積よりも大きく形成されているため、共通端子１５、送信端子１３および受信端子１４間のアイソレーション特性をさらに向上することができる。
【００７２】
（分波器の端子配列の他の例（５））
次に、図９を参照して分波器の端子配列の他の例（５）について説明する。図９は分波器の端子配列の他の例を示す図である。この端子配列の他の例（５）が上記した実施形態と異なる点は、非平衡−平衡型の送信フィルタ素子１１ａおよび受信フィルタ素子１２ａにより、送信フィルタ１１および受信フィルタ１２がそれぞれ形成されており、図９に示すように、分波器１０の本体の裏面１０ａに、送信フィルタ１１および受信フィルタ１２の共通端子１５との非接続の他方にそれぞれ接続される平衡側の２個の送信端子１３および２個の受信端子１４が設けられている点である。その他の構成は上記した実施形態と同様の構成であるため、同一符号を付すことによりその構成の説明は省略する。
【００７３】
図９に示すように、分波器１０の、上面視が矩形状の本体の裏面１０ａに、２個の送信端子１３と、２個の受信端子１４と、共通端子１５と、接地端子１６とが、矩形のランド状に設けられている。そして、共通端子１５は、裏面１０ａの中央に配置され、各送信端子１３および各受信端子１４は、分波器１０の本体の裏面１０ａの一辺に平行で共通端子１５を通る仮想線に対してそれぞれ線対称に、共通端子１５を挟んで配置されている。
【００７４】
また、分波器１０の裏面１０ａには、複数の接地端子１６が設けられており、接地端子１６は、各送信端子１３および各受信端子１４の間と、共通端子１５の両側に隣接して配置されている。
【００７５】
このように構成すると、上記した実施形態と同様の効果を奏することができる。
【００７６】
また、平衡出力型のパワーアンプ（ＰＡ）やローノイズアンプ（ＬＮＡ）から平衡側の送信端子１３に送信信号が出力される場合に、平衡端子（送信端子１３）間では、位相が１８０°反転していたり、通過する送信信号の電力比が１：１である必要があるが、上記したように共通端子１５および送信端子１３を配置することで、非平衡−平衡型の送信フィルタ１１の入出力間の線路長を等しくすることができ、送信フィルタ１１のバランス特性の向上を図ることができる。
【００７７】
また、共通端子１５から入力されて平衡端子（受信端子１４）から出力される受信信号の位相や振幅のバランスを保つために、共通端子１５から各受信端子１４までの線路長を等しくする必要があるが、上記したように共通端子１５および受信端子１４を配置することで、非平衡−平衡型の受信フィルタ１２の入出力間の線路長を等しくすることができ、受信フィルタ１２のバランス特性の向上を図ることができる。
【００７８】
なお、図１０の分波器の端子配列の他の例に示すように、受信端子１４と共通端子１５との間、および、送信端子１３と共通端子１５との間に、接地電極１６を配置してもよい。このような構成にすることにより、共通端子１５、送信端子１３および受信端子１４間のアイソレーション特性をさらに向上することができる。
【００７９】
（分波器の他の例（１））
次に、図１１を参照して分波器の他の例（１）について説明する。図１１は分波器の他の例を示す図である。この分波器の他の例（１）が上記した実施形態と異なる点は、図１１に示すように、長方形状の基板１０ｂに送信フィルタ素子１１ａおよび受信フィルタ素子１２ａが並設されることにより送信フィルタ１１および受信フィルタ１２が形成されている点である。その他の構成は上記した実施形態と同様の構成であるため、同一符号を付すことによりその構成の説明は省略する。
【００８０】
図１１に示すように、送信フィルタ１１および受信フィルタ１２は、長方形状の基板１０ｂの長手方向に送信フィルタ素子１１ａおよび受信フィルタ素子１２ａが並設され、送信フィルタ素子１１ａおよび受信フィルタ素子１２ａの一端１１ｂ，１２ｂ側の基板１０ｂの長手方向の中央に、共通端子１５と接続される送信フィルタ素子１１ａおよび受信フィルタ素子１２ａに共通の一方の端子（図示省略）が設けられ、送信フィルタ素子１１ａおよび受信フィルタ素子１２ａの他端１１ｃ，１２ｃ側の、基板の両端側に送信フィルタ素子１１ａおよび受信フィルタ素子１２ａそれぞれの他方の端子（図示省略）が設けられて形成されている。
【００８１】
また、送信フィルタ１１および受信フィルタ１２が形成された基板１０ｂは、送信フィルタ素子１１ａおよび受信フィルタ素子１２ａの共通端子１５に接続される一方の端子を共通端子１５側に、送信フィルタ素子１１ａおよび受信フィルタ素子１２ａの他方の端子を、それぞれ送信端子１３および受信端子１４側に配置して分波器１０の本体に設けられている。
【００８２】
このように構成すると、共通端子１５、送信端子１３および受信端子１４をそれぞれ互いに離間して配置することができ、送信端子１３および受信端子１４間のアイソレーション特性を向上することができ、上記した実施形態と同様の効果を奏することができる。
【００８３】
なお、本発明は上記した実施形態に限定されるものではなく、その趣旨を逸脱しない限りにおいて、上記したもの以外に種々の変更を行なうことが可能である。例えば、上記した実施形態では、送信フィルタ１１および受信フィルタ１２により分波器１０を形成したが、２個の送信フィルタ１１により分波器１０を形成してもよいし、２個の受信フィルタ１２により分波器１０を形成してもよい。また、非平衡−非平衡型の送信フィルタ１１および受信フィルタ１２と、非平衡−平衡型の送信フィルタ１１および受信フィルタ１２とをどのように組合わせて分波器１０を形成してもよい。
【００８４】
また、分波器１０の本体の裏面１０ａに設けられる、送信端子１３、受信端子１４、共通端子１５および接地端子１６の形状や、実装用基板２の実装面２ａに設けられる、送信電極２１、受信電極２２および共通電極２３の形状は矩形状に限られるものではなく、円形状など、分波器１０を実装面２ａ実装することができれば、どのような形状であってもよい。また、接地電極２４は、必ずしも実装用基板２の複数の誘電体層に渡って設ける必要はなく、その形状も、適宜、上記した例以外の形状で形成してもよい。
【産業上の利用分野】
【００８５】
本発明は、通過帯域が異なる第１のフィルタおよび第２のフィルタを有する分波器に本発明を広く適用することができる。
【符号の説明】
【００８６】
１    回路モジュール
２    実装用基板
１０    分波器
１０ａ    裏面
１０ｂ    基板
１１    送信フィルタ（第１のフィルタ）
１１ａ    送信フィルタ素子（第１フィルタ素子）
１２    受信フィルタ（第２のフィルタ）
１２ａ    受信フィルタ素子（第２フィルタ素子）
１３    送信端子（第１端子）
１４    受信端子（第２端子）
１５    共通端子
１６    接地端子
２１    送信電極（第１電極）
２２    受信電極（第２電極）
２３    共通電極
２４    接地電極
Ｌ    仮想線
【図１】
2012144229.tif 000003
【図２】
2012144229.tif 000004
【図３】
2012144229.tif 000005
【図４】
2012144229.tif 000006
【図５】
2012144229.tif 000007
【図６】
2012144229.tif 000008
【図７】
2012144229.tif 000009
【図８】
2012144229.tif 000010
【図９】
2012144229.tif 000011
【図１０】
2012144229.tif 000012
【図１１】
2012144229.tif 000013
【図１２】
2012144229.tif 000014
【手続補正書】
【提出日】平成25年8月26日(2013.8.26)
【手続補正１】
【補正対象書類名】明細書
【補正対象項目名】０００４
【補正方法】変更
【補正の内容】
【０００４】
なお、図１２は従来の分波器５００の端子配列を示す図である。また、図１２に示す例では、非平衡−平衡型の受信フィルタ素子により受信フィルタが形成されているため、分波器５００の裏面５０１には、受信フィルタ用の２個の受信端子５０３が設けられている。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
上記した目的を達成するために、本発明の分波器は、通過帯域が異なる第１のフィルタおよび第２のフィルタを備える分波器において、上面視が矩形状の本体の裏面に、前記第１のフィルタおよび前記第２のフィルタそれぞれの、入力側および出力側のいずれか一方に接続される共通端子と、前記第１のフィルタの前記共通端子と非接続の他方に接続される第１端子と、前記第２のフィルタの前記共通端子と非接続の他方に接続される２個の第２端子とが設けられており、前記共通端子が、前記裏面の中央に配置され、前記第１端子は、前記本体の裏面の一辺に平行で前記共通端子を通る仮想線上に、前記各第２端子は、前記仮想線に対して線対称に、それぞれ前記共通端子を挟んで配置されていることを特徴としている。
【手続補正４】
【補正対象書類名】明細書
【補正対象項目名】００１４
【補正方法】変更
【補正の内容】
【００１４】
また、通過帯域が異なる第１のフィルタおよび第２のフィルタを備える分波器において、上面視が矩形状の本体の裏面に、前記第１のフィルタおよび前記第２のフィルタそれぞれの、入力側および出力側のいずれか一方に接続される共通端子と、前記第１のフィルタの前記共通端子と非接続の他方に接続される２個の第１端子と、前記第２のフィルタの前記共通端子と非接続の他方に接続される２個の第２端子とが設けられており、前記共通端子が、前記裏面の中央に配置され、前記各第１端子および前記各第２端子は、前記本体の裏面の一辺に平行で前記共通端子を通る仮想線に対してそれぞれ線対称に、前記共通端子を挟んで配置されていることを特徴としている。
【手続補正５】
【補正対象書類名】明細書
【補正対象項目名】００１５
【補正方法】変更
【補正の内容】
【００１５】
また、前記裏面に、複数の接地端子が設けられており、前記各接地端子は、前記共通端子と、前記第１端子および前記第２端子との間に配置されていてもよい。このような構造にすることにより、共通端子を介して入出力する信号と、第１端子および第２端子を介してそれぞれ入出力する信号とが互いに干渉するのを防止することができ、各端子間のアイソレーション特性の向上を図ることができる。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
また、前記接地端子の面積が、前記共通端子、前記第１端子および前記第２端子の面積よりも大きく形成されていてもよい。このような構造にすることにより、共通端子、第１端子および第２端子間のアイソレーション特性をさらに向上することができる。
【手続補正９】
【補正対象書類名】明細書
【補正対象項目名】００１９
【補正方法】変更
【補正の内容】
【００１９】
また、前記第１のフィルタを形成する第１フィルタ素子および前記第２のフィルタを形成する第２フィルタ素子は、それぞれ長方形状に形成されて、長手方向の一端側に前記共通端子と接続される一方の端子が設けられ、他端側に他方の端子が設けられており、前記第１フィルタ素子および前記第２フィルタ素子は、前記一方の端子をともに前記共通端子側に、前記他方の端子をそれぞれ前記第１端子および前記第２端子側に配置して前記本体に設けられているとよい。このような構造にすることにより、共通端子、第１端子および第２端子をそれぞれ互いに離間して配置することができ、第１端子および第２端子間のアイソレーション特性を向上することができる。
【手続補正１０】
【補正対象書類名】明細書
【補正対象項目名】００２０
【補正方法】変更
【補正の内容】
【００２０】
また、前記第１のフィルタおよび前記第２のフィルタは、長方形状の基板の長手方向に第１フィルタ素子および第２フィルタ素子が並設され、前記基板の長手方向の中央に前記共通端子と接続される第１フィルタ素子および第２フィルタ素子に共通の一方の端子が設けられ、両端側に第１フィルタ素子および第２フィルタ素子それぞれの他方の端子が設けられて形成されており、前記基板は、前記一方の端子を前記共通端子側に、前記他方の端子をそれぞれ前記第１端子および前記第２端子側に配置して前記本体に設けられているとよい。このような構造にすることにより、共通端子、第１端子および第２端子をそれぞれ互いに離間して配置することができ、第１端子および第２端子間のアイソレーション特性をさらに向上することができる。
【手続補正１１】
【補正対象書類名】明細書
【補正対象項目名】００２１
【補正方法】変更
【補正の内容】
【００２１】
また、本発明の回路モジュールは、請求項１ないし６のいずれかに記載の分波器と、前記分波器が実装される実装用基板とを備え、前記実装用基板には、前記共通端子と接続される共通電極と、前記第１端子と接続される第１電極と、前記第２端子と接続される第２電極と、接地電極とが設けられて、前記接地電極は、上面視において、前記共通電極が設けられた位置を除く全面に渡って平面状に形成されていても構わない。このような構造にすることにより、各端子間のアイソレーション特性の向上を図ることができる。
【手続補正１２】
【補正対象書類名】明細書
【補正対象項目名】００５２
【補正方法】変更
【補正の内容】
【００５２】
また、分波器１０の裏面１０ａに複数の接地端子１６が設けられており、接地端子１６は、共通端子１５と、送信端子１３および受信端子１４との間にそれぞれ配置されているため、共通端子１５を介して入出力する信号と、送信端子１３および受信端子１４を介してそれぞれ入出力する信号とが互いに干渉するのを防止することができ、各端子１３〜１５間のアイソレーション特性の向上を図ることができる。
【手続補正１３】
【補正対象書類名】明細書
【補正対象項目名】００５３
【補正方法】変更
【補正の内容】
【００５３】
また、接地端子１６は、仮想線Ｌの両側に位置し、仮想線Ｌに平行な直線上に並べて配置されているため、分波器１０の両側に隣接して配置される各種部品３と分波器１０とが電磁結合するのを防止することができ、分波器１０と各種部品３との間のアイソレーション特性を向上することができる。
【手続補正１４】
【補正対象書類名】明細書
【補正対象項目名】００６１
【補正方法】変更
【補正の内容】
【００６１】
また、送信電極２１、受信電極２２および共通電極２３が、実装用基板２の実装面２ａに矩形のランド状に設けられており、接地電極２４は、上面視において送信電極２１、受信電極２２および共通電極２３それぞれの少なくとも３辺を囲んで設けられているため、送信電極２１から出力されて接地電極２４に漏洩した送信信号は、送信電極２１の少なくとも３辺を囲む当該接地電極２４の縁部に沿って接続されたビア導体に効率よく流れ込むと共に、上面視において当該接地電極２４の送信電極２１に近接する縁部から受信電極２２に近接する縁部までの、当該接地電極２４の縁部に沿った距離が長くなるので、接地電極２４に漏洩した送信信号が、当該接地電極２４の縁部を伝って受信電極２２側へ回り込むのを確実に防止することができる。
【手続補正１５】
【補正対象書類名】特許請求の範囲
【補正対象項目名】全文
【補正方法】変更
【補正の内容】
【特許請求の範囲】
【請求項１】
通過帯域が異なる第１のフィルタおよび第２のフィルタを備える分波器において、
上面視が矩形状の本体の裏面に、
前記第１のフィルタおよび前記第２のフィルタそれぞれの、入力側および出力側のいずれか一方に接続される共通端子と、
前記第１のフィルタの前記共通端子と非接続の他方に接続される第１端子と、
前記第２のフィルタの前記共通端子と非接続の他方に接続される２個の第２端子とが設けられており、
前記共通端子が、前記裏面の中央に配置され、
前記第１端子は、前記本体の裏面の一辺に平行で前記共通端子を通る仮想線上に、前記各第２端子は、前記仮想線に対して線対称に、それぞれ前記共通端子を挟んで配置されている
ことを特徴とする分波器。
【請求項２】
通過帯域が異なる第１のフィルタおよび第２のフィルタを備える分波器において、
上面視が矩形状の本体の裏面に、
前記第１のフィルタおよび前記第２のフィルタそれぞれの、入力側および出力側のいずれか一方に接続される共通端子と、
前記第１のフィルタの前記共通端子と非接続の他方に接続される２個の第１端子と、
前記第２のフィルタの前記共通端子と非接続の他方に接続される２個の第２端子とが設けられており、
前記共通端子が、前記裏面の中央に配置され、
前記各第１端子および前記各第２端子は、前記本体の裏面の一辺に平行で前記共通端子を通る仮想線に対してそれぞれ線対称に、前記共通端子を挟んで配置されている
ことを特徴とする分波器。
【請求項３】
前記裏面に、複数の接地端子が設けられており、
前記各接地端子は、前記共通端子と、前記第１端子および前記第２端子との間に配置されていることを特徴とする請求項１に記載の分波器。
【請求項４】
前記接地端子の面積が、前記共通端子、前記第１端子および前記第２端子の面積よりも大きく形成されていることを特徴とする請求項３に記載の分波器。
【請求項５】
前記第１のフィルタを形成する第１フィルタ素子および前記第２のフィルタを形成する第２フィルタ素子は、それぞれ長方形状に形成されて、長手方向の一端側に前記共通端子と接続される一方の端子が設けられ、他端側に他方の端子が設けられており、
前記第１フィルタ素子および前記第２フィルタ素子は、前記一方の端子をともに前記共通端子側に、前記他方の端子をそれぞれ前記第１端子および前記第２端子側に配置して前記本体に設けられていることを特徴とする請求項１ないし４のいずれかに記載の分波器。
【請求項６】
前記第１のフィルタおよび前記第２のフィルタは、
長方形状の基板の長手方向に第１フィルタ素子および第２フィルタ素子が並設され、前記基板の長手方向の中央に前記共通端子と接続される第１フィルタ素子および第２フィルタ素子に共通の一方の端子が設けられ、両端側に第１フィルタ素子および第２フィルタ素子それぞれの他方の端子が設けられて形成されており、
前記基板は、前記一方の端子を前記共通端子側に、前記他方の端子をそれぞれ前記第１端子および前記第２端子側に配置して前記本体に設けられていることを特徴とする請求項１ないし４のいずれかに記載の分波器。
【請求項７】
請求項１ないし６のいずれかに記載の分波器と、
前記分波器が実装される実装用基板とを備え、
前記実装用基板には、前記共通端子と接続される共通電極と、前記第１端子と接続される第１電極と、前記第２端子と接続される第２電極と、接地電極とが設けられている
ことを特徴とする回路モジュール。
【請求項８】
前記接地電極は、
上面視において、前記共通電極が設けられた位置を除く全面に渡って平面状に形成されている
ことを特徴とする請求項７に記載の回路モジュール。
【国際調査報告】
2012144229.tif 000015
2012144229.tif 000016
2012144229.tif 000017
2012144229.tif 000018